(57)【要約】      （修正有）【課題】利用者が目覚めた後、覚醒度の上昇や交感神経活動の亢進を促し、速やかに眠気を取ることのできる照明器具を提供する。【解決手段】この照明器具３は、あらかじめ設定されたアラーム時刻になると、アラームが鳴動し、利用者の目覚めを促す。アラーム釦の操作により赤色ＬＥＤ１５を発光させる機能を備えたことで、利用者が目覚めた後、覚醒度の上昇や交感神経活動の亢進を促し、速やかに眠気を取ることができる。赤色ＬＥＤ１５が発光する光の波長は、ピーク波長が６００ｎｍ以上７８０ｎｍ以下であることを特徴とする。【選択図】図３
2007328954.tif 000002
【特許請求の範囲】
【請求項１】
利用者の血圧を上昇させる機能色で点灯可能な第１の光源と；
前記利用者の目覚めを検知する目覚め検知手段と；
前記目覚め検知手段により利用者の目覚めが検知された場合、前記第１の光源を点灯させる点灯回路を有する点灯制御手段と；
を具備することを特徴とする照明器具。
【請求項２】
前記目覚め検知手段は、
時刻を計時する時計手段と；
アラーム時刻が予め設定され、前記時計手段により計時された時刻が前記アラーム時刻と一致した場合に目覚まし動作を行う目覚まし手段と；
前記目覚まし手段により行われた目覚まし動作を停止するための停止操作が行われる操作手段と；
前記操作手段に対する前記停止操作を検知する操作検知手段と；
を具備することを特徴とする請求項１記載の照明器具。
【請求項３】
利用者が離床したことを検知する離床検知手段を備え、前記点灯制御手段は、前記離床検知手段により離床が検知された場合、前記第１の光源を消灯することを特徴とする請求項１又は２記載の照明器具。
【請求項４】
前記第１の光源とは異なる色で点灯可能な第２の光源を備え、前記離床検知手段により離床が検知された場合、前記点灯制御手段は、前記第２の光源を点灯させ、かつ前記第１の光源を消灯させることを特徴とする請求項３記載の照明器具。
【請求項５】
前記第１の光源が発光する光の波長は、ピーク波長が６００ｎｍ以上７８０ｎｍ以下であることを特徴とする請求項１乃至４いずれか１記載の照明器具。
【請求項６】
前記第１の光源は、可視光発光領域での分光分布において、６００ｎｍ未満での平均エネルギーよりも、６００ｎｍ以上での平均エネルギーが大きいことを特徴とする請求項１乃至５ずれか１記載の照明器具。
【請求項７】
前記第１の光源は、利用者の眼前照度が２５ｌｘとなる光源であることを特徴とする請求項１乃至６いずれか記載の照明器具。
【発明の詳細な説明】
【技術分野】
【０００１】
本発明は、照明器具に関する。
【背景技術】
【０００２】
従来、目覚まし装置として、照明とアラームにより目覚ましを促進する目覚まし付き電気スタンドがある。このような電気スタンドでは、目覚まし時刻を設定可能にする計時部、アラーム及び設定時刻にアラームを発音するアラーム制御部などが備えられており、設定時刻のアラーム発音及び照明点灯によって目覚ましを促進するものである（例えば、特許文献１参照）。
【０００３】
また、天井に取付けられ、目覚まし設定時刻３０分前になると部屋全体を照明する照明が徐々に明るくなるよう調光される照明器具も知られている（例えば、非特許文献１参照）。
【特許文献１】特開２００３―２１５２７９号公報
【非特許文献１】松下電工株式会社［Ｎａｔｉｏｎａｌ］、ＡＳＳＡ、［online］、２００５年、松下電工株式会社［Ｎａｔｉｏｎａｌ］、［平成１８年５月２３日］、インターネット（http://biz.national.jp/Ebox/newproj2005/assa/index.html）
【発明の開示】
【発明が解決しようとする課題】
【０００４】
しかし、前記の照明器具においては、照明の光を用いて瞼を通して脳を刺激し、徐々に覚醒状態へと導いているだけで、目が覚めた後の覚醒度の上昇や、交感神経活動の亢進を促すものではない。この場合には目が覚めた後もなかなか眠気が取れず不快感を招くという問題があった。
【０００５】
本発明は、かかる従来の問題を解消すべくなされたもので、利用者が目覚めた後、覚醒度の上昇や交感神経活動の亢進を促し、速やかに眠気を取ることのできる照明器具を提供することを目的とする。
【課題を解決するための手段】
【０００６】
請求項１記載の発明は、利用者の血圧を上昇させる機能色で点灯可能な第１の光源と；前記利用者の目覚めを検知する目覚め検知手段と；前記目覚め検知手段により利用者の目覚めが検知された場合、前記第１の光源を点灯させる点灯回路を有する点灯制御手段と；を具備することを特徴とする。
【０００７】
利用者とは、本発明の照明器具により、目覚めさせられる対象者のことである。
機能色とは、人間の身体に生理的影響を及ぼす色のことである。後述する『森田らの研究「色光による生理応答の経時変化」森田健ほか、日本生理人類学会第３２回大会抄録集，１９９４』によると、赤色は、人間の身体に生理的影響を及ぼす機能色である。
【０００８】
例えば、ピーク波長が６００ｎｍ以上７８０ｎｍ以下である赤色の光は、この赤色の光を見た人間の心拍数を上げたり、精神状態を緊張状態にするなどの機能がある。
【０００９】
目覚めとは利用者が覚醒度の低い状態で目が覚めている状態である。詳しくいうと、目は覚めた状態であるが、覚醒度が低く布団又はベットから出ていない又は出ようとしていない状態のことである。
【００１０】
目覚め検知とは利用者が布団又はベットから出ていない又は出ようとしていない状態を検知することである。
【００１１】
第１の光源は特に限定されるものではなく、血圧を上昇させる機能色で照明可能なものであれば、一般的な蛍光灯やＬＥＤなどが使用可能である。
【００１２】
請求項２記載の発明は、請求項１記載の照明器具において、前記目覚め検知手段は、時刻を計時する時計手段と；アラーム時刻が予め設定され、前記時計手段により計時された時刻が前記アラーム時刻と一致した場合に目覚まし動作を行う目覚まし手段と；前記目覚まし手段により行われた目覚まし動作を停止するための停止操作が行われる操作手段と；前記操作手段に対する前記停止操作を検知する操作検知手段と；を具備することを特徴とする。
【００１３】
目覚まし手段としては、例えば、電子音を発生するアラーム音発生部が用いられる。アラーム音発生部を用いる場合、利用者の聴覚を刺激して目を覚まさせることができる。アラーム音発生部としては、例えばアンプとスピーカーとからなるものが用いられる。
【００１４】
又、目覚まし手段として、例えば利用者自身又は利用者が知覚可能な場所、物を揺動又は振動させる手段、例えばバイブレータなどを用いることで、物を揺動させ、又は振動させて利用者の目を覚まさせることができる。
【００１５】
アラーム時刻は、例えばリモコンに設けられている、書き換え可能でかつ記憶内容を保持可能な不揮発性のメモリを利用して所望の時刻を記憶（設定）しておくものとする。このようにメモリを用いることで、利用者がリモコンのスイッチ操作によりアラーム時刻を任意に設定または変更できる。
【００１６】
目覚まし動作を停止するための操作手段としては、例えば利用者が手で直接操作する押しボタンスイッチ(タクトスイッチやトグルスイッチなど)を用いる。なお、この他、操作手段は、利用者が寝ている場所で確実に操作可能であれば、リモコンでなくてもよく、特に限定されない。
【００１７】
なお、このようにアラーム停止専用の押し釦スイッチを設けることなく、アラーム動作中には、例えば既存の主点消灯用のスイッチや釦などが操作されたことで、アラームを停止するようにしてもよい。
【００１８】
また、操作手段については、設置位置は特に限定されず利用者が寝たままの位置から手が届く範囲であれば、リモコンの外、つまりリモコンとは異なる場所に取り付けておいてもよい。
【００１９】
請求項３記載の発明は、請求項１又は２記載の照明器具において、利用者が離床したことを検知する離床検知手段を備え、前記離床検知手段により離床が検知された場合、前記第１の光源を消灯させる点灯制御手段を具備する事を特徴とする。
【００２０】
離床とは、目覚めた利用者の覚醒度が上昇し、布団又はベットから出ようとする状態又は出た状態のことである。離床検知とはこの利用者が布団又はベットから出ようとする状態又は出た状態を検知するものである。
【００２１】
離床検知手段は、利用者の離床を検知するものならば、特に限定されるものではないが、例えば、押圧センサなどを利用者が就寝する布団の下やベッドの敷き布団の下、又はベッドマットの下などに設けることが望ましい。
【００２２】
更に、離床検知手段は、利用者の上体（腰から上）の位置の真下（シーツの下など）に設けられることが望ましくこの場合には、押圧センサなどの離床検知手段は、利用者がベッドに寝ると、Ｏｎ状態となり、上体を起こすと、Ｏｆｆ状態に切り替わる。
【００２３】
離床検知手段がＯｆｆ状態に切り替わることによって、利用者の離床を検知することができる。
【００２４】
請求項４記載の発明は、請求項３記載の照明器具において、前記第１の光源とは異なる色で点灯可能な第２の光源を備え、前記離床検知手段により離床が検知された場合、前記点灯制御手段は、前記第２の光源を点灯させ、かつ前記第１の光源を消灯させることを特徴とする。
【００２５】
第２の光源は、特に限定されるものではなく、一般的な蛍光ランプ、水銀灯、ハロゲンランプ、発光ダイオードなど任意のものが適用可能である。
【００２６】
点灯制御回路による第２の光源の点灯、第１の光源の消灯動作は、第２の光源を点灯させると同時に第１の光源を消灯させることが望ましいが、これに限定されることなく、例えば、第２の光源が点灯され、所定の時刻が経過した後に第１の光源を消灯させてもよい。
【００２７】
請求項５記載の発明は、請求項１乃至４いずれか１項に記載の照明器具において、前記第１の光源が発光する光の波長は、ピーク波長が６００ｎｍ以上７８０ｎｍ以下であることを特徴とする。
【００２８】
ピーク波長が６００ｎｍ以上７８０ｎｍ以下の光であれば、一般に赤色と認識されるので、利用者の血圧を上昇させる機能色として利用できる。
【００２９】
請求項６記載の発明は、請求項１乃至５いずれか１項に記載の照明器具において、前記第１の光源は、可視光発領域での分光分布において６００ｎｍ未満での平均エネルギーより、６００ｎｍ以上での平均エネルギーが大きいことを特徴とする。
【００３０】
可視光発光領域での分光分布において、６００ｎｍ以上での平均エネルギーが大きい光であれば、一般に赤色と認識されるので、利用者の血圧を上昇させる機能色として利用できる。
【００３１】
請求項７記載の発明は、請求項１乃至６いずれか１項に記載の照明器具において、前記第１の光源は、利用者の眼前照度が２５ｌｘとなる光源であることを特徴とする。
【００３２】
第１の光源の照度は２５ｌｘであれば、利用者の血圧を上昇させる機能色として利用できる。
【００３３】
第１の光源の照度は２５ｌｘであることが望ましいが、第１の光源の光を浴びた利用者の交感神経活動の亢進を促す照度であればこれに限定されず、例えば利用者の眼前照度が５ｌｘ以上の照度でもよい。
【００３４】
本発明の照明器具は、天井に取付け具を介して着脱自在に取付けられるようにしたものが適しているが、天井に固定したものや、天井以外の梁や壁面に取付ける照明器具についても同様に適用することが可能である。
【発明の効果】
【００３５】
請求項１記載の発明によれば、目覚め検知手段により利用者の目覚めが検知された場合、第１の光源が、血圧を上昇させる機能色で点灯されるので、利用者は、目覚めた後、血圧が自然に上昇し、眠気を速やかに取ることができる。
【００３６】
請求項２記載の発明によれば、目覚まし手段により目覚まし動作が行われた場合に、目覚めた利用者が操作手段を実際に停止操作したことをトリガにして第１の光源を点灯することで、その後の目覚まし動作が不要になる。
【００３７】
請求項３記載の発明によれば、離床検知手段により利用者の離床が検知された場合、第１の光源を消灯することで、利用者が手操作で第１の光源を消す手間をなくすことができる。
【００３８】
請求項４記載の発明によれば、第１の光源とは別の、第１の光源と異なる色で点灯する第２の光源を備える場合、離床検知手段により利用者の離床が検知された際には第１の光源を消灯するとともに、第２の照明を点灯することで、利用者が自らスイッチを操作して第２の光源を点灯する手間を省け、離床後、速やかに通常の行動をとることができる。
【００３９】
請求項５記載の発明によれば、第１の光源のピーク波長を６００ｎｍ以上７８０ｎｍ以下とすることで、目覚めた後の利用者の血圧を自然に上げることができる。すなわち、目が覚めた後の利用者の覚醒度の上昇及び交感神経活動の亢進を容易に促進できるので速やかに眠気を取ることができる。
【００４０】
請求項６記載の発明によれば、第１の光源のエネルギーを、可視光線発光域での分光分布において６００ｎｍ未満での平均エネルギーよりも、６００ｎｍ以上での平均エネルギーが大きい範囲とすることで、目覚めた後の利用者の血圧を自然に上げることができる。すなわち、目覚めた後の利用者の覚醒度の上昇及び交感神経活動の亢進を容易に促進できるので速やかに眠気を取ることができる。
【００４１】
請求項７記載の発明によれば、第１の光源を、該第１の光源を照射された利用者の眼前照度が２５ｌｘとなる光源とすることで、視覚的にも利用者を刺激してさらに容易に眠気を取ることができる。
【００４２】
また、例えば２５ｌｘ以上の光源を用いる場合には、第１の光源の照度の上限は、一般的な寝室の照度である７５０ｌｘ程度であることが望ましい。
【発明を実施するための最良の形態】
【００４３】
まず、図１を用いて、利用者が目覚めた後の覚醒度の上昇や、交感神経活動の亢進を促す機能色について説明する。
【００４４】
図１は、健康な男子大学生１０人を被験者として、これらの被験者の上方約５０ｃｍの位置から赤色又は青色の光を２０分間照射した時の最高血圧を測定し、平均を求めたものである（森田らの研究「色光による生理応答の経時変化」森田健ほか、日本生理人類学会第３２回大会抄録集，１９９４）。
【００４５】
同図は赤色又は青色の光照射開始時の最高血圧を係数１として照射から１分後、６分後、１１分後、１６分後の最高血圧の経時変化を示している。なお、図中、赤色光を照射した時の最高血圧の経時変化を折れ線グラフ１で示し、青色光を照射した時の最高血圧の経時変化を折れ線グラフ２で示すものとする。
【００４６】
まず、赤色光の折れ線グラフ１の変化を時間Ｔを追って細かくみていく。時間Ｔ＝１での係数は０．９９であり、光照射直後の血圧に比べて若干低く、血圧が低下していることがわかる。しかしその後、折れ線グラフ１は、上昇をはじめ時間Ｔ＝６で係数１.０３という値を示す。その後、折れ線グラフ１はまた徐々に低下してゆき、時間Ｔ＝１１では係数が１.０１、時間Ｔ＝１６では係数が１.０２となっている。
【００４７】
折れ線グラフ１では、最高血圧の最低値は、時間Ｔ＝１において、０.９９であり、最高血圧の最高値は、時間Ｔ＝６において１.０３という数値となっている。
【００４８】
この結果から、赤色の光を照射されると、６分以内に血圧が最低値から最高値に上昇することがわかる。また、血圧が最高値まで上昇した後、低下した血圧の値は照射直後の血圧よりも高いこともわかる。
【００４９】
次に、青色光の折れ線グラフ２の変化を時間Ｔを追って細かくみてゆく。折れ線グラフ２の場合も折れ線グラフ１の場合と同様に、時間Ｔ＝１では係数が０.９８となっており、青色光を照射した直後よりも血圧が低下していることがわかる。しかし、青色光の場合、同じ時間Ｔでの折れ線グラフ１の値よりも数値が大きく低下している。
【００５０】
折れ線グラフ２の時間Ｔ＝６での係数は１.００８となっており、時間Ｔ＝１の時に比べて上昇はしているものの、Ｔ＝０、すなわち青色光を照射した直後の係数とほぼ同じ値である。
【００５１】
また、同じ時間Ｔ＝６での折れ線グラフ１の係数は１．０３であり、さらにこの係数の値は血圧上昇値の最大値であることから、折れ線グラフ２の血圧上昇速度は、折れ線グラフ１の血圧上昇速度よりも遅いということがわかる。
【００５２】
さらにグラフを見ていくと、折れ線グラフ２では時間Ｔ＝１１まで血圧は上昇を続ける。Ｔ＝１１での係数は１.０１である。この値は同時間Ｔ＝１１での折れ線グラフ１の係数と同じ値である。
【００５３】
その後、時間Ｔ＝１６では係数０.９８と血圧は大きく低下している。結果として折れ線グラフ２での血圧の係数の最大値は、時間Ｔ＝１１における係数１.０１である。
【００５４】
すなわち、被験者が青色光を照射された場合には、血圧が最高値を示すまでに１１分かかることがわかる。また、最高値まで上昇した後、低下した血圧の値は、青色光を照射した直後の血圧よりも低いこともわかる。
【００５５】
折れ線グラフ１と折れ線グラフ２とを比べると、両グラフとも時間Ｔ＝１で血圧が一旦低下し、その後、上昇した後、再度低下する傾向が共通している。
【００５６】
しかしながら、折れ線グラフ１では、係数が最大値を示した時間Ｔ＝６から、係数が低下した時間Ｔ＝１６までの係数の値は、時間Ｔ＝０、すなわち赤色光照射直後の係数よりも高い値となっているのに対し、折れ線グラフ２の係数は、時間Ｔ＝６から時間Ｔ＝１１では青色光照射直後の係数よりも高いものの時間Ｔ＝１６では、むしろ青色光照射直後よりも血圧は低くなっている。
【００５７】
血圧の上昇は、交換神経活動の亢進であり、覚醒度の上昇でもあるので、折れ線グラフ１の方が折れ線グラフ２に比べて交感神経活動の亢進及び覚醒度の上昇が顕著であるといえる。
【００５８】
以上のことから、被験者が赤色光を照射された場合は６分以内に交感神経活動の亢進が促され、その後も交感神経活動は活発になるといえる。
【００５９】
一方、被験者が青色光を照射された場合は、１１分以内に交換神経活動の亢進が促されるものの、その後交換神経活動は活発になるとはいえない。
【００６０】
すなわち、青色光では、一次的に血圧の上昇は見られるが目が覚めた後の覚醒度の上昇や交感神経活動の亢進を保証するものではない。目が覚めた後の覚醒度の上昇や、交換神経活動の亢進を促す機能色は、赤色であることが望ましいといえる。
【００６１】
なお、この測定で使用した赤色光及び青色光は一般的な白熱灯に赤色及び青色のゼラチンフィルターを取り付けたものである。照度はそれぞれ被験者の目の位置（床面より1.1ｍ）垂直照度で２５ｌｘに調整してある。
【００６２】
次に、上記実験結果を踏まえて、図２乃至図７を参照して、利用者が目覚めた後の覚醒度の上昇や、交換神経活動の亢進を促すよう構成された照明器具の例について説明する。
【００６３】
図２及び図３に示すように、この例の照明器具３は、一般家屋の天井に取付けられたシャーシ５と、このシャーシ５に一体的に取り付けられた器具本体７と、器具本体７に固定された化粧台９、保持部材１１及びホルダー１３と、第１の光源としての赤色発光ダイオード１５（以下、ＬＥＤ１５と称す。）、ホルダー１３に把持された第２の光源としての蛍光灯１７と、セード１９と、器具本体７の点灯動作を制御するリモコン２１と、離床センサ２３とを備えている。
【００６４】
離床センサ２３は、例えば押圧センサなどであり、利用者が就寝するベッド２５において、布団２７やベッドマット２９の上で、かつ利用者の上体（腰から上）の位置の真下（シーツの下など）に配置される。つまり、離床センサ２３は、利用者がベッド２５に寝ると、Ｏｎ状態となり、上体を起こすと、Ｏｆｆ状態に切り替わる。
【００６５】
シャーシ５は、略四角の形状をなす金属板の加工品であり、中央部に孔が設けられている。シャーシ５と一体をなす器具本体７には、孔部の位置に取り付けアダプタ６が設けられている。
【００６６】
取り付けアダプタ６は、天井に固定された引っ掛けシーリングに着脱自在に取り付けられる。なお、取り付けアダプタ６には、ロック機構が設けられており、引っ掛けシーリングとは着脱自在なものの、ロック機構によって簡単には取り外しができないようにされている。
【００６７】
器具本体７の下部には、複数のホルダー１３が下方へ向けて取り付けられている。各ホルダー１３は、断面Ｃ形状の金属部材を主としたものであり、略四角の形状をなす環型の蛍光灯１７を数箇所で支持している。
【００６８】
また、器具本体７の下部には、化粧台９が同心的に固定されている。この化粧台９は、器具本体７の下部に配置された蛍光灯１７よりも幅が広いものである。
【００６９】
すなわち、この化粧台９は、略四角盤状をなす平面部と、この平面部の外周部に連続する縁部が下方に向けて一体に形成されており、さらにこの縁部下端には真横外側に向かって鍔部３１が一体に形成されている略四角柱状である。
【００７０】
したがって、この実施形態の化粧台９は、器具本体７に対応した略四角柱状となる。
化粧台９の鍔部３１の所定の位置には複数の赤色ＬＥＤ１５が、化粧台９縁部にそう方向に一直線状に、それぞれ外側を向いて取付けられている。化粧台９は略四角柱状をなしているので、一辺に一直線状に配設される赤色ＬＥＤ１５は全部で四辺に配設されている。
【００７１】
保持部材１１は、化粧台９及びセード１９を保持する為の部材であり、シャーシ５の中央部に取付けられている。
【００７２】
セード１９は、例えば透明または半透明のアクリル樹脂などで器具本体７を覆う形状に成型されている。セード１９は、光を拡散し光透過性を有する光放射窓として機能するものであり、カバーとも言う。セード１９は、器具本体７縁部、照明器具３本体下面に配設された蛍光灯１７を覆うような大きさ及び形状のものである。
【００７３】
したがって、この実施形態のセード１９は、器具本体７に対応した略四角形状となる。セード１９は、器具本体７の下面側に蛍光灯１７を覆うように、保持部材１１に取付けられている。
【００７４】
なお、照明器具３にはリモコン２１から送信される赤外線を受光する受光部３３と、制御部８０（図５参照）が設けられている。受光部３３は、リモコン２１から発光された赤外線通信コマンドを受信する。赤外線通信コマンドは、例えば蛍光灯１７の点消灯、調光、赤色ＬＥＤ１５点灯時刻の設定などを行うためのコマンドである。
【００７５】
リモコン２１は、例えば蛍光灯１７の入切、目覚まし時刻設定、鳴動しているアラームの切操作、などの各種操作を行うためのものである。壁面に設けた開口内に埋め込み設置され、この開口に操作カバーが覆設されたものや、ＦＲＰ製の筐体を備え、利用者が容易に持運びできるように構成されたものなどが挙げられる。
【００７６】
図４に示すように、リモコン２１は、利用者が容易に持ち運びができるタイプのものである。リモコン２１は、矩形状の外形をなし、表面には操作面３５を有している。操作面３５には、現在の設定や点灯内容、操作内容などを表示する表示部３７と、各種操作用のスイッチがそれぞれ配設されている。
【００７７】
スイッチは、蛍光灯１７を入切させるための主光源釦３９、目覚まし時刻を設定する目覚まし時刻調整釦４１、アラーム釦４３は、アラーム動作を開始または停止させるための押し釦スイッチであり、アラームを止めるための操作手段として機能する。つまり、このアラーム釦４３は、利用者の目覚めを検知する検知スイッチである。
【００７８】
また、リモコン２１の表示部３７近傍には赤外線を発光する送信窓４５が配設されている。この送信窓４５の内部に赤外線発光部４７が設けられており、赤外線発光部４７から発信された赤外線のコマンドが、器具本体７に設けられた受光部で受光される。
【００７９】
なお、リモコン２１の形状、機能はこの実施例に限定されるものではなく、少なくとも主光源釦３９、目覚まし時刻を設定する目覚まし時刻調整釦４１及びアラーム釦４３が配設されていれば任意の形状としてよい。また、少なくとも目覚まし時刻を設定する時計部４９機能を有していれば任意の機能を持たせることができる。
【００８０】
次に、図５を参照してこの照明器具３の制御系の構成について説明する。器具本体７には、制御装置８１と照明点灯回路８２とからなる制御部８０と、受光部３３と、蛍光灯１７および赤色ＬＥＤ１５が設けられている。受光部３３は、リモコン２１から発光された赤外線通信コマンドを受信する。
【００８１】
照明点灯回路８２は、蛍光灯１７及び赤色ＬＥＤ１５の点灯及び消灯を行う。制御装置８１は、受信された赤外線通信コマンドに応じて照明点灯回路８２を制御し、照明の点消灯制御を行う。
【００８２】
蛍光灯１７は、赤色ＬＥＤ１５とは異なる色、例えば白色、昼光色、電球色などで点灯する一般的な照明を行うものである。
【００８３】
赤色ＬＥＤ１５は、赤色照明を行うため、赤色で点灯する。ここで、赤色ＬＥＤ１５の赤色照明の色の範囲について図６の色度図表を用いて説明する。図６は光色の色温度を示す１９７６Ｕ'Ｖ’色度図表である。
【００８４】
赤色ＬＥＤ１５の色は、この色度図上の（Ｕ'，Ｖ’）=（０．３６８，０．５４５），（０．２６，０．５），（０．２５，０．４），（０．４１，０．２），（０．６２，０．５０６）の範囲内であることが望ましい。すなわちこの範囲内にある光の色であれば利用者の血圧を自然にかつ速やかに上昇させることができる。
【００８５】
また、リモコン２１には、セントラルプロセッシングユニット５１（以下、ＣＰＵ５１と称す。）、メモリ５３、アラーム釦４３、覚まし手段としてのアラーム音発生部９０、時刻を計時する時計手段としての時計部４９、赤外線発光部４７などが内蔵されている。この他、リモコン２１には、離床センサ２３が接続されている。
【００８６】
メモリ５３には、各種釦操作に応じた赤外線通信コマンドの出力ルール（どの釦の操作でどういったコマンドを出すかなど）が記憶されている。またメモリ５３には、ＣＰＵ５１によりアラーム時刻などが設定（記憶）される。
【００８７】
ＣＰＵ５１は、目覚まし時刻調整釦４１による目覚まし時刻の指定操作があった場合、アラーム時刻をメモリ５３に設定する。ＣＰＵ５１は、目覚まし手段としてのアラーム音発生部９０を制御してアラーム音を鳴動させる。
【００８８】
アラーム釦４３は、利用者の目覚めを検知する押し釦スイッチである。離床センサ２３は、利用者の離床を検知するものである。
【００８９】
アラーム音発生部９０は、アンプ９１及びスピーカー９２を有している。アラーム音発生部９０は、ＣＰＵ５１により制御されてアラーム音を鳴動する。つまり、ＣＰＵ５１は、アラーム音発生部９０を制御して利用者へ聴覚による目覚まし動作を行う。
【００９０】
時計部４９は、時刻を計時する。赤外線発光部４７は、赤外線通信コマンドを送信するためのＬＥＤである。ＣＰＵ５１は、赤外線発光部４７を制御して赤外線通信コマンドを送信する。
【００９１】
続いて、図７を参照してこの照明器具３の動作を説明する。図７は照明器具３の動作を示すフローチャートである。
この照明器具３では、リモコン２１に内蔵されたＣＰＵ５１が、あらかじめ目覚まし時刻調整釦４１によって設定されてメモリ５３に記憶されている任意のアラーム時刻の設定時刻と、時計部４９の時刻とを比較する（Ｓ１）。
【００９２】
この比較の結果、ＣＰＵ５１は、メモリ５３のアラーム時刻と時計部４９により計時された現在の時刻とが一致した場合、アラーム音発生部９０を制御してアラーム音の発生動作（鳴動）を行い、利用者へ聴覚による目覚まし動作を行う（Ｓ２）。
【００９３】
アラーム音を発生した後、ＣＰＵ５１は、アラーム釦４３がＯｎ状態かＯｆｆ状態かを常に監視する。アラーム釦４３がＯｆｆ状態のままの場合、ＣＰＵ５１は、利用者がまだ目覚めていないため、アラーム音発生部９０は鳴動し続ける（Ｓ３）。
【００９４】
そして、アラーム釦４３がＯｎ状態になった場合（Ｓ３のＯｎ）、ＣＰＵ５１は、アラーム音発生部９０を制御してアラーム音の発生動作を停止させる（Ｓ４）。
【００９５】
なお、アラーム釦４３のスイッチの構造によっては、アラーム釦４３のＯｎ、Ｏｆｆ状態が逆転するため、その場合は、ＣＰＵ５１の判定も逆になる。
つまり、アラーム釦４３がプッシュロックスイッチなどの場合、利用者がこのリモコンを「目覚まし」として機能させるため、アラーム釦４３をＯｎした状態が維持されるため、アラーム時刻になってもアラーム釦４３のＯｎ状態が維持されていれば、利用者は目覚めておらず、アラーム釦４３が解除、つまりＯｆｆ状態となって初めて、利用者は目覚めたことになる。この場合、ＣＰＵ５１は、アラーム釦４３のＯｎ状態が解除された場合にアラーム音発生部９０に対してアラーム動作（鳴動）を開始させる。
【００９６】
ＣＰＵ５１は、アラーム動作を停止させるとほぼ同時に、赤外線発光部４７を制御し、器具本体７に設置された受光部３３に向けて、赤色ＬＥＤ１５を点灯するための赤外線通信コマンド（ＬＥＤ点灯コマンド）を送信する。
器具本体７では、赤外線通信コマンドが受光部３３により受信されると、受光された赤外線通信コマンドが制御装置８１に入力される。制御装置８１は、入力された赤外線通信コマンドに応じて、照明点灯回路８２を制御して赤色ＬＥＤ１５および蛍光灯１７を点灯または消灯させる。この場合、受信されたコマンドがＬＥＤ点灯コマンドなので、赤色ＬＥＤ１５だけが点灯される（Ｓ５）。
【００９７】
ＣＰＵ５１は、ＬＥＤ点灯コマンドを送信した後、離床センサ２３の状態（Ｏｎ状態かＯｆｆ状態か）を監視している。
【００９８】
離床センサ２３は押圧センサであるので、利用者が起き上がって初めてＯｆｆ状態に切り替わる。
【００９９】
このため、離床センサ２３がＯｎ状態のままであれば、利用者は、目覚めてはいるかもしれないがまだ離床していないということになる。この場合、ＣＰＵ５１は、停止コマンドを器具本体７へ送信せず、赤色ＬＥＤ１５は、点灯を維持し続ける（Ｓ６）。
【０１００】
そして、離床センサ２３がＯｆｆ状態に切り替わると、ＣＰＵ５１は、赤外線発光部４７を制御し、赤色ＬＥＤ１５を消灯させる赤外線通信コマンド（ＬＥＤ停止コマンド）と、蛍光灯１７を点灯させる赤外線通信コマンド（蛍光灯点灯コマンド）を送信させる。
【０１０１】
なお、スイッチの構造によっては、目覚めの場合と同様に、Ｏｎ状態、Ｏｆｆ状態が逆の場合があり、その場合は、上記の判定が逆になる。
【０１０２】
器具本体７では、赤外線通信コマンドが受光部３３により受信されると、受光された赤外線通信コマンドが制御装置８１に入力される。
【０１０３】
受光部３３は、受光されたＬＥＤ消灯コマンドと、蛍光灯１７を点灯させる赤外線通信コマンドは、制御装置８１に入力される。
【０１０４】
制御装置８１は、入力された赤外線通信コマンドが、ＬＥＤ消灯コマンドと蛍光灯点灯コマンドのため、照明点灯回路８２を制御して赤色ＬＥＤ１５を消灯させ（Ｓ７）、蛍光灯１７を点灯させる（Ｓ８）。
【０１０５】
赤色ＬＥＤ１５の消灯と蛍光灯１７の点灯の順序は、上記以外でもよい。すなわち、蛍光灯１７を点灯した後で、赤色ＬＥＤ１５を消灯するようにしても良く、また２つの照明の点消灯を同時に行ってもよい。
【０１０６】
このようにこの実施形態の照明器具３によれば、あらかじめ設定されたアラーム時刻になると、アラーム音を発生し、利用者に対して目覚めを促し、このアラーム音が利用者によるアラーム釦４３の操作で停止されると、アラーム釦４３が操作されたことでＣＰＵ５１が利用者の目覚めを検知し、赤色ＬＥＤ１５を点灯させ、赤色照明が利用者に照射される。
【０１０７】
この赤色照明の照射により、利用者は、目覚めはしたものの眼を閉じていた場合であっても瞼を赤色光が透過して覚醒度を上昇させ、交感神経活動の亢進を促すので、利用者の眠気を速やかに取ることができる。
【０１０８】
本発明は、上記実施形態に限定されず、拡張、変更が可能であり、拡張、変更した実施形態も本発明の技術範囲に含まれる。
【０１０９】
例えば上記実施形態では、離床センサ２３を用いて利用者の離床を検知していたが、赤色光を浴びた利用者の血圧上昇が６分後にピークになることを考慮して、アラーム釦４３がＯｎになってから６分経過した時に、赤色ＬＥＤ１５を自動的に消灯させ、かつ蛍光灯１７を点灯させるようにしてもよい。
【０１１０】
また、赤色ＬＥＤ１５を自動的に消灯させ、蛍光灯１７を点灯させる時間についても、上記実施形態のみに限定されることはなく、利用者が釦操作で任意に設定できるようにしてもよい。
【０１１１】
さらに、上記実施形態では、リモコン２１に多くの機能（アラーム機能、照明制御機能、時計機能など）を盛り込んだが、これらの機能のうち、いずれかの機能を器具本体７の側に内蔵してもよい。
すなわち、本発明を実現するための機能については、器具本体７あるいはリモコン２１の少なくとも一方に備えればよい。
【図面の簡単な説明】
【０１１２】
【図１】赤色光及び青色光を照射された時の血圧の径時変化を示す表である。
【図２】本発明の一つの実施形態の照明器具を示す概略図である。
【図３】図２の照明器具を上から見た図である。
【図４】本発明の一つの実施形態のリモコンを表す概略図である。
【図５】図２の照明器具のブロック図である。
【図６】色度図表である。
【図７】本発明の照明器具の動作を表すフローチャートである。
【符号の説明】
【０１１３】
１…赤色光の折れ線グラフ、２…青色光の折れ線グラフ、３…照明器具、５…シャーシ、
６…アダプタ、７…器具本体、９…化粧台、１１…保持部材、１３…ホルダー、１５…Ｌ
ＥＤ、１７…蛍光灯、１９…セード、２１…リモコン、２３…離床センサ、２５…ベッド
２７…布団、２９…ベッドマット、３１…鍔部、３３…受光部、３５…操作面、３７…表示部、３９…主光源釦、４１…時刻調整釦、４３…アラーム釦、４５…送信窓、４７…赤外線発光部、４９…時計部、５１…ＣＰＵ、５３…メモリ、８０…制御部、８１…制御装置、８２…照明点灯回路、９０…アラーム音発生部、９１…アンプ、９２…スピーカー。
【図１】
2007328954.tif 000003
【図２】
2007328954.tif 000004
【図３】
2007328954.tif 000005
【図４】
2007328954.tif 000006
【図５】
2007328954.tif 000007
【図６】
2007328954.tif 000008
【図７】
2007328954.tif 000009